(57)【要約】      （修正有）【課題】中棒構造を改良する、自動開閉傘の弾力強化及び簡易収納構造を提供する。【解決手段】中棒ユニット３０は、第一中棒３１と、第二中棒３２と、第三中棒３３とが順に被せ合わされてなる。中棒ユニット３０の第二中棒３１頂部内には内栓３５が固設され、内栓３５には可動且つ頂部が内栓３５を貫いた弾力増強スリーブ３６が被せられる。主バネ６０底端は第一中棒３１下段部内に当接し、主バネ６０頂端は弾力増強スリーブ３６内頂部に当接する。第三中棒３３内には副バネ９０が設けられ、副バネ９０頂端は上ろくろ８０内栓８２底部に当接し、副バネ９０底端は第二中棒３２の内栓３５頂面に当接する。以上の構造により、傘具の開傘時における中棒ユニット３０の弾力が強化されるとともに、閉傘時には、二つのバネが異なる時間に圧迫され、且つ二つのバネが間接的に弾力を相殺するため、閉傘時の折畳みに要する力を削減することができ、実用性に適う。【選択図】図１
0003194220.tif 000002
【実用新案登録請求の範囲】
【請求項１】
自動開閉傘の弾力強化及び簡易収納構造であって、
傘具は、手元と、制御ユニットと、中棒ユニットと、上ろくろと、内管と、下ろくろと、弾丸状部品と、開傘バネと、複数の傘骨とからなり、
前記制御ユニットは、前記手元内に設けられるとともに、ボタンと、制御柱及び凸柱を有する制御リング体とからなり、
前記中棒ユニットは、第一中棒と、第二中棒と、第三中棒とが被せ合わされてなり、
前記上ろくろは、前記第三中棒頂部に固接されるとともに、底部には上ろくろ内栓が設けられ、
前記内管は、前記上ろくろ内栓底部に固接され、
前記下ろくろは、中棒ユニット外部に嵌められ、
前記弾丸状部品と前記開傘バネは、いずれも前記中棒ユニット内に設けられ、
前記傘骨は、上ろくろと下ろくろの間に接続されるとともに、閉傘バネを有し、
更に、前記中棒ユニットの第二中棒頂部内側には、内栓が固設され、
前記内栓には、上下に可動且つ頂部が前記内栓を貫くように弾力増強スリーブが被せられ、
前記第一中棒の下段部内には、主バネの底端が当接するように設けられ、
前記主バネの頂端は、前記弾力増強スリーブの内側頂部に当接し、
前記第三中棒内には、更に副バネが設けられ、
前記副バネは、頂端が前記上ろくろ内栓底部に当接し、底端が前記第二中棒の内栓頂面に当接することを特徴とする、自動開閉傘の弾力強化及び簡易収納構造。
【考案の詳細な説明】
【技術分野】
【０００１】
本考案は自動開閉傘に関し、特に自動開閉傘の中棒構造を改良する、自動開閉傘の弾力強化及び簡易収納構造に関する。
【背景技術】
【０００２】
自動開閉傘の中棒は、中棒内の開傘バネによって自動で伸張する。しかし、開傘バネは、中棒の内管スペースによって制限されることにより、弾力効果が落ちてしまう。具体的に言えば、開傘バネの外径が内管によって制限され、より大きい外径でより強い弾力のバネを使用することができない。加えて、中棒内の弾丸状部品が正常に移動できるようにするため、前記開傘バネの線径は、弾丸状部品のサイズによって制限され、より大きい線径でより強い弾力のバネを使用することができない。更に、中棒収縮後のスペースに限りがあるため、開傘バネの巻き数も制限されてしまう。このような種々の要素による制限のため、現在の自動開閉傘は、開傘バネの弾力が不足しており、中棒が完全に伸張しないことがよくある。この他、前記開傘バネは、単一の形態であるとともに、長さが中棒三つ分の合計に相当するため、圧縮された時の強度及び弾力も長さに比例して大きくなる。使用者は、手に強い力を込めて傘を閉じるとともに、１回で留め合せなければならないが、力の入れ具合や動作が僅かでも狂うと、圧縮された開傘バネが極めて大きい力で中棒を弾き戻すことにより、手や体の他の部分を傷つけてしまう。以上から分かるように、この種の構造は理想的とは言い難く、改善の余地がある。
【考案の概要】
【考案が解決しようとする課題】
【０００３】
そこで、本考案は、自動開閉傘の弾力強化及び簡易収納構造を提供することを目的とする。
【課題を解決するための手段】
【０００４】
上述の目的を達成するため、本考案の中棒ユニットは、第一中棒と、第二中棒と、第三中棒とが順に被せ合わされてなる。更に、中棒ユニットにおける第二中棒の頂部内側には内栓が固設され、内栓には可動且つ頂部が内栓を貫くように弾力増強スリーブが被せられる。主バネは、底端が第一中棒の下段部内側に当接し、頂端が弾力増強スリーブの内側頂部に当接する。また、第三中棒内には、副バネが設けられる。副バネは、頂端が上ろくろ内栓底部に当接し、底端が第二中棒の内栓頂面に当接する。弾力増強スリーブ内の主バネ、及び第三中棒内の副バネが設けられることにより、中棒ユニット内のバネがより長くなる。即ち、組合せ方式によってバネ全体の長さが増す。以上の構造により、傘具の開傘時における中棒ユニット全体の弾力が強化されるとともに、閉傘時には、二つのバネが異なる時間に圧迫され、且つ二つのバネが間接的に弾力を相殺するため、閉傘時の折畳みに要する力を削減することができ、実用性に適う。
【０００５】
更に、前述した弾力増強スリーブ頂端には、内向きに突出した内側環状縁が設けられることにより、主バネ頂端が内側環状縁底面に当接する。弾力増強スリーブ底端には、外向きに突出した外側環状凸縁が設けられることにより、第二中棒頂部の内栓底面に当接して、離脱しないように内栓と嵌合された状態になる。
【図面の簡単な説明】
【０００６】
【図１】本考案を折畳み完全に閉傘した時の構造を示した概略図である。
【図２】本考案の開傘時の構造を示した概略図である。
【図３】本考案の閉傘時の構造を示した概略図である。
【考案を実施するための形態】
【０００７】
図１を参照する。本考案の自動開閉傘の弾力強化及び簡易収納構造は、三つ折傘を実施例とする。本考案の傘具は、手元１０と、制御ユニット２０と、中棒ユニット３０と、下ろくろ４０と、弾丸状部品５０と、主バネ６０と、複数の傘骨７０と、閉傘バネ７１と、底部に上ろくろ内栓８２が設けられた上ろくろ８０と、副バネ９０とからなる。制御ユニット２０は、手元１０内に設けられるとともに、中空の本体内に設けられた制御リング体２１と、手元１０側方の開孔の位置に設けられ且つ外部に露出したボタン２２と、制御リング体２１一側の底部に設けられた制御柱２３と、制御リング体２１の他側に設けられた凸柱２４とからなり、凸柱２４が下ろくろ４０を係止することにより、傘具が折畳まれた状態を保つように位置決めする。中棒ユニット３０は、第一中棒３１と、第二中棒３２と、第三中棒３３とが被せ合わされてなる。第三中棒３３頂部と上ろくろ８０は固接され、第二中棒３２内頂部には内栓３５が固設され、内栓３５には上下に可動且つ頂部が内栓３５を貫くように弾力増強スリーブ３６が被せられる。弾力増強スリーブ３６頂端には、内向きに突出した内側環状縁３６１が設けられる。弾力増強スリーブ３６底端には、外向きに突出した外側環状凸縁３６２が設けられることにより、第二中棒３２頂部の内栓３５底面に当接して、離脱しないように内栓３５と嵌合された状態になる。また、中棒ユニット３０の第一中棒３１底部は、制御ユニット２０の本体上に固接される。主バネ６０は、頂端が弾力増強スリーブ３６の内側環状縁３６１底面に当接し、底端が第一中棒３１下段部内に当接する。第三中棒３３内には、更に副バネ９０が設けられる。副バネ９０は、頂端が上ろくろ内栓８２底部に当接し、底端が第二中棒３２の内栓３５頂面に当接する。下ろくろ４０は、中棒ユニット３０に嵌められるとともに、上方一側には滑車４１が設けられる。各傘骨７０は、下ろくろ４０と上ろくろ８０の間に接合されるとともに、各傘骨７０にはいずれも閉傘バネ７１が枢接される。上ろくろ内栓８２底端には、底端が内栓３５及び弾力増強スリーブ３６を貫いた内管３４が固接され、更に上ろくろ内栓８２内には、一辺が第三中棒３３と上ろくろ８０の外に露出した滑車８１が設けられる。滑車８１上には、一本の引線５１が巻き掛けられる。引線５１一端は、下ろくろ４０の滑車４１に巻き掛けられた後、上向きに上ろくろ８０に固接され、引線５１他端は、内管３４下方に設けられた弾丸状部品５０頂端に固接される。
【０００８】
引き続き、図１を参照する。図は、自動開閉傘を折畳んで閉傘し次の使用に備えた状態における構造を示している。即ち、中棒ユニット３０を収縮させた時、第二中棒３２上の弾力増強スリーブ３６頂端が上ろくろ８０底面に当接し、主バネ６０は、弾力増強スリーブ３６に圧迫されて第一中棒３１と弾力増強スリーブ３６内に圧縮された状態となる。また副バネ９０は、第三中棒３３内における上ろくろ内栓８２底面と内栓３５頂面の間に形成されたスペース内に圧縮される。下ろくろ４０は、制御リング体２１の凸柱２４によって係止されて位置決めされる、同時に、制御柱２３は、第二中棒３２底端によって下向きに押されることにより下向き傾斜状をなす。弾丸状部品５０は、内管３４によって圧迫されるとともに、第一中棒３１の弾性部品３１１によって押されて、第一中棒３１の係止孔に係止される。
【０００９】
図２を参照する。開傘する時は、ボタン２２を押すことにより、制御リング体２１が内側へ押されて、下ろくろ４０と係止されていた凸柱２４が離脱する。中棒ユニット３０内の主バネ６０が元に戻る際に生じる弾力により、弾力増強スリーブ３６が上向きに押されて延伸するとともに、弾力増強スリーブ３６底部の外側環状凸縁３６２と連動した第二中棒３２が上向きに押されて延伸する。また、副バネ９０が元に戻る際に生じる弾力により、第三中棒３３が上向きに押されて延伸する。この時、弾丸状部品５０は、第一中棒３１の係止孔に係止されたままである。更に、引線５１が滑車８１を経由して下ろくろ４０を上向きに引き動かして上方へ移動させることにより、傘骨７０が完全に展開し、自動開傘の動作が完了する。この時、各傘骨７０の閉傘バネ７１は引き伸ばされた状態となり、制御柱２３は水平状態に戻って弾丸状部品５０を押さえる。
【００１０】
図３を参照する。閉傘する時は、もう一度ボタン２２を押す。この時、制御柱２３は、弾丸状部品５０を押して第一中棒３１の係止から離脱させ、同時に引線５１を引っ張っていた力も解除される。また、各傘骨７０の閉傘バネ７１が元に戻る際に生じる弾力により、各傘骨７０が自動で折畳まれるとともに、下ろくろ４０が下向きに押し動かされ、これに応じて中棒ユニット３０が圧縮されることにより、完全に閉傘する（図１参照）。
【００１１】
前述した実施例における技術は、以下のとおりである。まず、弾力増強スリーブ３６が第二中棒３２上方へ延伸した形態をなすことにより、内部の主バネ６０が第一中棒３１から第二中棒３２上方まで延伸する。加えて、第二中棒３２と第三中棒３３の間に副バネ９０が設けられることにより、中棒ユニット３０内のバネがより長くなる。即ち、組合せ方式によってバネ全体の長さが増す。以上の構造により、傘具の開傘時における中棒ユニット３０全体の弾力が強化されるとともに、閉傘時には、二つのバネが異なる時間に圧迫され、且つ二つのバネが間接的に弾力を相殺するため、閉傘時の折畳みに要する力を削減することができ、実用性に適う。
【符号の説明】
【００１２】
１０   手元
２０   制御ユニット
２１   制御リング体
２２   ボタン
２３   制御柱
２４   凸柱
３０   中棒ユニット
３１   第一中棒
３２   第二中棒
３３   第三中棒
３４   内管
３５   内栓
３６   弾力増強スリーブ
４０   下ろくろ
４１   滑車
５０   弾丸状部品
５１   引線
６０   主バネ
７０   傘骨
７１   閉傘バネ
８０   上ろくろ
８１   滑車
８２   上ろくろ内栓
９０   副バネ
３１１ 弾性部品
３６１ 内側環状縁
３６２ 外側環状凸縁
【図１】
0003194220.tif 000003
【図２】
0003194220.tif 000004
【図３】
0003194220.tif 000005
【手続補正書】
【提出日】平成26年9月8日(2014.9.8)
【手続補正１】
【補正対象書類名】実用新案登録請求の範囲
【補正対象項目名】請求項１
【補正方法】変更
【補正の内容】
【請求項１】
自動開閉傘の弾力強化及び簡易収納構造であって、
傘具は、手元と、制御ユニットと、中棒ユニットと、上ろくろと、内管と、下ろくろと、弾丸状部品と、開傘バネと、複数の傘骨とからなり、
前記制御ユニットは、前記手元内に設けられるとともに、ボタンと、制御柱及び凸柱を有する制御リング体とからなり、
前記中棒ユニットは、第一中棒と、第二中棒と、第三中棒とが被せ合わされてなり、
前記上ろくろは、前記第三中棒頂部に固接されるとともに、底部には上ろくろ内栓が設けられ、
前記内管は、前記上ろくろ内栓底部に固接され、
前記下ろくろは、中棒ユニット外部に嵌められ、
前記弾丸状部品は、前記中棒ユニット内に設けられ、
前記開傘バネは、主バネと副バネとが組合されてなるとともに、前記中棒ユニット内に設けられ、
前記傘骨は、上ろくろと下ろくろの間に接続されるとともに、閉傘バネを有し、
更に、前記中棒ユニットの第二中棒頂部内側には、内栓が固設され、
前記内栓には、上下に可動且つ頂部が前記内栓を貫くように弾力増強スリーブが被せられ、
前記第一中棒の下段部内には、開傘バネにおける主バネの底端が当接するように設けられ、
前記主バネの頂端は、前記弾力増強スリーブの内側頂部に当接し、
前記第三中棒内には、更に開傘バネにおける副バネが設けられ、
前記副バネは、頂端が前記上ろくろ内栓底部に当接し、底端が前記第二中棒の内栓頂面に当接することを特徴とする、自動開閉傘の弾力強化及び簡易収納構造。
【手続補正２】
【補正対象書類名】明細書
【補正対象項目名】０００４
【補正方法】変更
【補正の内容】
【０００４】
上述の目的を達成するため、本考案の中棒ユニットは、第一中棒と、第二中棒と、第三中棒とが順に被せ合わされてなる。また、開傘バネは、主バネと副バネとが組合されてなる。更に、中棒ユニットにおける第二中棒の頂部内側には内栓が固設され、内栓には可動且つ頂部が内栓を貫くように弾力増強スリーブが被せられる。開傘バネにおける主バネは、底端が第一中棒の下段部内側に当接し、頂端が弾力増強スリーブの内側頂部に当接する。また、開傘バネにおける副バネは、第三中棒内に設けられる。副バネは、頂端が上ろくろ内栓底部に当接し、底端が第二中棒の内栓頂面に当接する。弾力増強スリーブ内の主バネ、及び第三中棒内の副バネが設けられることにより、中棒ユニット内のバネがより長くなる。即ち、組合せ方式によってバネ全体の長さが増す。以上の構造により、傘具の開傘時における中棒ユニット全体の弾力が強化されるとともに、閉傘時には、二つのバネが異なる時間に圧迫され、且つ二つのバネが間接的に弾力を相殺するため、閉傘時の折畳みに要する力を削減することができ、実用性に適う。